(57)【特許請求の範囲】
【請求項１】
磁極管（４）と、該磁極管（４）を取り囲み、且つ、該磁極管（４）の長手方向軸（８）に沿って摺動可能に支承されているコイル（６）とを有する電磁石であって、
前記コイル（６）または該コイル（６）のケーシング（７）の第１の端面が、前記磁極管（４）の第１の端区分に配置されている第１の支持部（２）に接触している、電磁石において、
前記コイル（６）または該コイル（６）のケーシング（７）の第２の端面（７ｂ）と、前記磁極管（４）の第２の端区分（４ｂ）に配置されている第２の支持部との間に皿ばね（１）が設けられており、
前記皿ばね（１）は、前記第２の支持部に支持されており、且つ、前記コイル（６）および／または該コイル（６）のケーシング（７）に前記第１の支持部（２）に向かうプリロードを掛けており、
前記磁極管（４）の１つまたは複数の溝（５；５ａ）の１つまたは複数の側縁部に前記第２の支持部が形成されており、
前記皿ばね（１）は環状溝（５；５ａ）に嵌め込まれたスナップリング（１２）に支持されており、
組み付け状態においては前記ケーシング（７）が前記皿ばね（１）を介して前記第２の端区分（４ｂ）において回動不能に支持されるように、前記皿ばね（１）および前記磁極管（４）の前記第２の端区分（４ｂ）および前記ケーシング（７）は形成されていることを特徴とする、電磁石。
【請求項２】
液圧式の弁の弁体を操作するために使用され、前記第１の支持部は前記磁極管（４）の前記第１の端区分と接続されている弁ケーシング（２）の外壁である、請求項１記載の電磁石。
【請求項３】
前記液圧式の弁は可動の作業機器に配置されている、請求項２記載の電磁石。
【請求項４】
前記皿ばね（１）と、前記コイル（６）または該コイル（６）のケーシング（７）との間にはシールリング（１８）が配置されており、該シールリング（１８）には前記皿ばね（１）によって前記第２の端面（７ｂ）に向かってプリロードが掛けられている、請求項１から３までのいずれか１項記載の電磁石。
【請求項５】
前記皿ばね（１）と前記シールリング（１８）との間にはリング状のディスクが配置されている、請求項４記載の電磁石。
【請求項６】
回動阻止部は、前記磁極管（４）の外周面区分と前記皿ばね（１）の内周面区分との間に形成されている歯列（１ａ，１４，２０）と、前記皿ばね（１）の当接区分（１ｂ）と前記コイル（６）または該コイル（６）のケーシング（７）の前記第２の端面（７ｂ）との間に形成されている別の歯列（１ｄ；１ｇ，７ｃ）とを有する、請求項１または４記載の電磁石。
【請求項７】
前記磁極管（４）の前記外周面区分の周囲に均等に分布している突起部（１４）および溝（２０）のうちの少なくとも一方が設けられており、該突起部（１４）および該溝（２０）のうちの少なくとも一方は前記磁極管（４）の前記第２の端区分（４ｂ）の領域において、また前記磁極管（４）の長手方向軸（８）に平行に配置されている、請求項６記載の電磁石。
【請求項８】
前記皿ばね（１）の当接区分（１ｂ）と、前記コイル（６）または該コイル（６）のケーシング（７）の前記第２の端面（７ｂ）との間の前記歯列は、前記第２の端面（７ｂ）の半径方向の切り欠き部（７ｃ）と、前記当接区分（１ｂ）の対応する半径方向の突起部（１ｄ；１ｇ）とによって形成されているか、前記第２の端面の半径方向の突起部と、前記当接区分の対応する半径方向の切り欠き部とによって形成されており、前記切り欠き部（７ｃ）および前記突起部（１ｄ；１ｇ）はそれぞれの周囲に均等に分布している、請求項６または７記載の電磁石。
【請求項９】
前記第２の端区分（４ｂ）は１つまたは複数の係合面（４ｃ）を有し、前記第２の端区分（４ｂ）は、多角形の基底面を有する円柱の形状で形成されており、
前記皿ばね（１）の中心の内部開口部（１ｆ）は、前記第２の端区分（４ｂ）の断面に応じて形成されており、前記皿ばね（１）は前記第２の端区分（４ｂ）において周方向に形状結合により支持されている、請求項１記載の電磁石。
【請求項１０】
１つまたは複数の前記係合面（４ｃ）の縁部（４ｄ）は、前記第２の端区分（４ｂ）の前記外周面における周方向に延在する、それぞれ１つの溝区分（５ｂ）によって中断されている、請求項９記載の電磁石。
【請求項１１】
前記溝区分（５ｂ）は、周方向において中断されており、且つ、前記スナップリング（１２）を収容する環状溝（５ａ）を形成し、前記環状溝（５ａ）は前記係合面（４ｃ）の中心においてウェブ（４ｅ）によって中断されている、請求項１０記載の電磁石。
【請求項１２】
前記皿ばね（１）は前記ケーシング（７）に接触する縁部区分において、半径方向および軸方向の少なくとも一方の方向に少なくとも１つの突起部を有し、前記突起部は前記ケーシングの凹部（７ｃ）に嵌め合わされる、請求項１または９から１１までのいずれか１項記載の電磁石。
【発明の詳細な説明】
【技術分野】
【０００１】
本発明は、請求項１の上位概念に記載されている電磁石に関する。
【０００２】
磁石コイルが磁極管に被せ嵌められている電磁石が公知である。磁石コイルは、磁極管のねじ山にねじ込まれた、プラスチックまたは金属から成るナットを用いて磁極管に保持される。
【０００３】
この種の電磁石は、DE 102 20 405 A1から公知である。
【０００４】
プラスチック製のナットは歪みに対して安全なものではなく、また温度に対して敏感である。また金属製のナットは、金属に必要とされるトルクによって締め付けられないことが多く、したがって解離に対して安全なものではない。
【０００５】
液圧式の弁のためのアクチュエータとして電磁石を使用する場合、殊に、過酷な状況下、例えば可動の作業機器での過酷な状況下では、ナットが必要とされるトルクで締め付けられないことが多い。これによって磁石コイルが磁極管から解離する可能性がある。
【０００６】
これに対し、本発明の課題は、磁石コイルが振動時、温度変動時、極端な温度および湿気もしくは腐食の際にも磁極管に確実に保持されており、また意図したときには何時でも磁極管から取り外すことができる、電磁石を提供することである。
【０００７】
この課題は、請求項１記載の電磁石によって解決される。
【０００８】
本発明の別の有利な実施形態は従属請求項に記載されている。
【０００９】
本発明による電磁石は、磁極管とコイルとを有し、このコイルが磁極管を取り囲み、且つ、磁極管の長手方向軸に沿って摺動可能である。コイルの第１の端面は、磁極管の第１の端区分に固定されている第１の支持部に接触している。さらには、コイルの第２の端面と、磁極管の第２の端区分と接続されている第２の支持部との間に弾性エレメントが設けられており、この弾性エレメントは第２の支持部に支持されており、またコイルに第１の支持部に対するプリロードを掛ける。これによって、温度変動に対して、また振動時にも永続的で安定して緊締されており、また解離に対して安全である、磁極におけるコイルの固定が実現されており、比較的長い時間にわたり湿気の影響を受けた後でもコイルを何時でも容易に取り外すことができる。
【００１０】
有利な実施例においては、電磁石が液圧式の弁の弁体を操作するために使用され、この場合、第１の支持部は磁極管の第１の端区分と接続されている弁ケーシングの外壁である。この用途例では、操作すべき液圧式の弁のケーシングへの第１の端区分の（例えばねじ込みによる）固定は一般的に行われていることなので、外壁は付加的な製造コストを要することなく、作動磁石のための第１の支持部として使用することができる。
【００１１】
液圧式の弁が可動の作業機器に配置されている場合は、上述の利点は殊に有用である。
【００１２】
殊に有利な実施例においては、第２の支持部が磁極管の環状溝の側縁部である。殊に、磁極管の自由な第２の端区分においては、簡単な手段を用いて第２の支持部を形成することができる。
【００１３】
有利なヴァリエーションにおいては、弾性エレメントが皿ばねであり、この皿ばねは環状溝に嵌め込まれたスナップリングに支持されている。スナップリングを簡単に環状溝から取り外すことができ、それに続いて弾性の皿ばね、さらにはコイルを簡単に取り外すことができる。
【００１４】
別の有利なヴァリエーションにおいては、弾性エレメントが線材クリップであり、この線材クリップは、環状溝に収容される少なくとも１つの溝区分を有する。このヴァリエーションでは最小の装置技術的および製造技術的なコストしか必要とされない。何故ならば、線材クリップは簡単に折り曲げることができ、その後も同様に簡単に組み付け、また取り外すことができる。
【００１５】
線材クリップの有利なヴァリエーションにおいては、この線材クリップがほぼ鏡面対称的に成形されており、また環状溝の側縁部に接触する２つの溝区分と、コイルの第２の端面に接触する４つのコイル区分とを有する。これによって、磁極管の環状溝内での線材クリップの確実な保持が保証されている。さらには、力が均一に加えられており、したがって第１の支持部に向かう磁極管の傾斜の無い摺動が実現される。
【００１６】
線材クリップの別の有利なヴァリエーションにおいては、この線材クリップが同様にほぼ鏡面対称的に成形されており、また２つの溝区分を有し、これらの２つの溝区分は溝対の外縁部および平行な溝底部に接触している。線材クリップは４つのコイル区分を有し、これらのコイル区分はそれぞれコイルの第２の端面の１つの溝に進入している。これによって回動阻止部が形成されており、コイルは所定の位置において磁極管に保持されている。
【００１７】
最適な位置固定のために、線材クリップはその自由端部を用いて磁極管に裏側から把持される。
【００１８】
２つのヴァリエーションにおいては、磁極管とコイルとの間の環状空隙をシールするためにシールリングを設けることができ、このシールリングには弾性エレメントによって第２の端面に向かうプリロードが掛けられる。
【００１９】
シールリングの支持ないし均等な力分布に基づき、線材クリップとシールリングとの間においてリング状のディスクが配置されることが望ましい。
【００２０】
別の有利なヴァリエーションにおいては、弾性エレメントが、環状溝に嵌め込まれたスナップリングに支持されている（例えばゴム樹脂から成る）リングである。このヴァリエーションでも最小の装置技術的および製造技術的なコストしか必要とされない。何故ならば、リングは簡単に製造できるものであり、また磁極管の第２の端区分を介して被せ嵌められることによって簡単に組み付けることができ、また抜き出すことによって簡単に取り外すことができ、さらにはスナップリングによって簡単に固定することができるからである。
【００２１】
スナップリングの他に弾性のリングも（相応に拡張された）環状溝内に配置することができる。弾性のリングの領域における環状溝の溝底部区分は、スナップリングの領域における溝底部区分の直径よりも大きい直径を有することができる。
【００２２】
磁極管とコイルとの間における長さの差異および異なる拡張部の公差を許容するために、環状溝がコイルのケーシングによって僅かに覆われることが望ましい。
【００２３】
本発明による電磁石の殊に有利な発展形態においては、回動阻止部として、磁極管の外周面とコイルの内周面との間に形成された歯列が設けられている。これによって、例えば長時間の振動に晒された後であっても、コイルの電気的端子はコイルの外周面の所定の位置にとどまる。
【００２４】
皿ばねのヴァリエーションでは、有利には、回動阻止部として、磁極管の外周面区分と皿ばねの内周面区分との間に形成された歯列が設けられており、さらには、皿ばねとコイルの第２の端面との間に形成された歯列も設けられている。またこの種の２段階の歯列によって、例えば長時間の振動に晒された後であっても、コイルの電気的端子は所定の位置にとどまる。
【００２５】
２つの回動阻止部においては、磁極管の外周面区分の周囲に均等に分布している突起部および／または溝が設けられており、この突起部および／または溝は磁極管の第２の端区分の領域内において、また長手方向軸に実質的に平行に配置されている。
【００２６】
皿ばねの当接区分とコイルの第２の端面との間の歯列は、有利には、端面の半径方向の切り欠き部および当接区分の相応の半径方向の突起部によって、または、端面の半径方向の突起部および当接区分の相応の半径方向の切り欠き部によって形成される。拡張部および突起部をそれぞれの周囲に均等に分布させることができる。
【００２７】
上述のように、殊に有利な実施形態においては、皿ばねはそれと同時に回動阻止部として使用される。すなわち、組み付け状態においてはコイルケーシングが皿ばねを介して前述の端区分において回動不能に支持されるように、皿ばね、磁極管の第２の端区分およびコイルケーシングは形成されている。したがって皿ばねは二重機能を有する。コイルケーシングおよび磁極管の端区分は簡単に製造可能な幾何学形状を有することができる。皿ばねの必要に応じてコストの掛かる形状を打ち抜き方法または刻み込み方法で廉価に製造することができる。
【００２８】
有利には、第２の端区分が１つまたは複数の係合面を有する。殊に、第２の端区分が、多角形の基底面、必要に応じて丸み付けられた、殊に六角形、殊に八角形の基底面を有する円柱の形状で形成されている。すなわち、第２の端区分は、例えば丸み付けられた六角部分または丸み付けられた八角部分に相当する。皿ばねの中心の内部開口部は端区分の断面に相当するので、皿ばねは端区分において周方向に形状結合（formschluessig；形状による束縛）により支持されている。第２の端区分のこの形状および皿ばねの開口部を殊に廉価に製造することができる。
【００２９】
有利には、１つまたは複数の係合面の縁部は、第２の端区分の外周面における周方向に延在する、それぞれ１つの溝区分によって中断されている。これにより僅かな材料の無駄しか生じない。溝区分が、周方向において中断しており、またスナップリングを収容するための環状溝を形成する場合、殊に環状溝が係合面の中心において中断している場合には、係合面の中心にはウェブが残り、溝に陥落することなく、皿ばねをその組み付け位置に押し込むことができる。
【００３０】
有利には、皿ばねがコイルケーシングに接触する縁部区分において、半径方向および／または軸方向に少なくとも１つの突起部を有し、殊に、少なくとも１つの半径方向・軸方向に張り出した舌片を有し、突起部はコイルケーシングの凹部に嵌め合わされる。その種の皿ばねを打ち抜き部材または刻み込み部材として簡単に製造することができる。
【００３１】
以下では、図面に基づき本発明の種々の実施例を詳細に説明する。
【図面の簡単な説明】
【００３２】
【図１】皿ばねを備えた、本発明による電磁石の第１の実施形態の斜視図を示す。
【図２】図１による第１の実施例の長手方向の斜視図の断面図を示す。
【図３】線材クリップを備えた、本発明による電磁石の第２の実施例の断面図を示す。
【図４】図３による第２の実施例の線材クリップの平面図を示す。
【図５】弾性のリングを備えた、本発明による電磁石の第３の実施例の断面図を示す。
【図６】弾性のリングを備えた、本発明による電磁石の第４の実施例の側面図を示す。
【図７】線材クリップを備えた、本発明による電磁石の第５の実施形態の斜視図を示す。
【図８】第１の実施例の製造が最適化された変形形態としての、皿ばねを備えた本発明による電磁石の第６の実施形態の斜視図を示す。
【図９】スナップリングが取り外されている、図８による皿ばねを備えた電磁石の拡大された端区分を示す。
【００３３】
図１は、皿ばね１を備えた本発明による電磁石の第１の実施例の斜視図を示す。電磁石は液圧式の弁の操作に使用される。この弁のうち、図１においては弁ケーシング２の一部のみが示されている。
【００３４】
電磁石はほぼ円柱状の磁極管４を有しており、この磁極管４は弁ケーシング２に固定されており、また図１に示されている壁区分を貫通している。磁極管４の外周面には、同様にほぼ円柱状で管状のコイルが配置されており、このコイルのうち図７にはコイルケーシング７が示されている。コイルないしコイルケーシング７は磁極管４の長手方向軸８に沿って（少なくとも広範囲にわたり）移動可能である。
【００３５】
コイルケーシング７は（図１において）左側の端面でもって弁ケーシング２の外壁区分に接触している。
【００３６】
コイルケーシング７の外周面（図１の上部）にはスイッチケーシング１０が設けられており、このスイッチングケーシング１０内にはコイルに給電を行うための（図示していない）電気的な端子が配置されている。
【００３７】
本発明によれば、コイルケーシング７には皿ばね１を介して（図１においては）左方向で弁ケーシング２に向かってプリロードが掛けられており、したがって磁極管４の長手方向軸８に沿った相応の位置に固定されている。皿ばね１は（図１においては）右方向で、磁極管４の環状溝５に嵌め込まれているスナップリング１２に対して支持されている。
【００３８】
図２は、図１による第１の実施例の長手方向の斜視図の断面図を示す。
【００３９】
コイルケーシング７の内部にはコイル６の巻線が収容されている。コイル６が通電されると、磁極管４の内部に配置されている（図示していない）コアないし接極子に力が加えられ、それらのコアないし接極子を長手方向軸８に沿って移動させることができる。これによって、従来技術によれば、（図示していない）弁体が変位される。つまり、本発明による磁石が組み付けられているケーシング２を有する弁を切り替えることができる。
【００４０】
皿ばね１は、内周面に均等に分布している突起部ないし脚部１ａを有し、それらの突起部ないし脚部１ａの断面は例えば二等辺の台形の形状を有している。各脚部１ａは部分的に、磁極管４の所属の長手方向溝ないし軸方向溝２０に進入している。軸方向溝２０は磁極管４の外周面に形成されている複数の軸方向突起部１４の間に配置されている。突起部１４は磁極管４の第２の端区分４ｂにおいて磁極管４の長手方向軸８に平行に延在している（図１を参照されたい）。
【００４１】
突起部１４の断面は二等辺の台形の形状を有している。
【００４２】
皿ばね１は外側に全周にわたる当接区分１ｂを有しており、この当接区分１ｂは周囲に均等に分布している複数の押圧個所１ｃを介してコイルケーシング７に接触しており、またコイルケーシング７には前述のように（図２においては）左方向で（図２においては図示していない）弁ケーシング２に向かってプリロードが掛けられている。皿ばね側の押圧個所１ｃはコイル側の縁部７ａに接触しており、このコイル側の縁部７ａも同様に、コイルケーシング７の第２の端面７ｂの周囲に均等に設けられている。各縁部７ａは第２の端面７ｂの半径方向の切り欠き部７ｃの内側の境界部である。したがって、半径方向の切り欠き部７ｃも同様に、コイルケーシング７の第２の端面７ｂの周囲に均等に分布しており、第２の端面７ｂに対して垂直な方向から見るとそれぞれ二等辺の台形の形状を有している。
【００４３】
コイルケーシング７の切り欠き部７ｃには皿ばね１の相応の突起部１ｄが進入している。それらの突起部１ｄはコイル側において皿ばね１の当接区分１ｂに形成されている。突起部１ｄは切り欠き部７ｃよりも若干小さい寸法を有しているので、組み付けの際にはそのように形成されている歯列を摩擦無しで相互に噛み合わせることができる。
【００４４】
さらには、皿ばね１の脚部１ａも同様に磁極管４の軸方向突起部１４と共に歯列を形成し、これによって磁極管４とコイル６を有するコイルケーシング７との間の（２段階の）回動阻止部が形成されている。
【００４５】
コイルケーシング７と磁極管４との間には環状空隙１６が残存している可能性がある。この環状空隙１６はシールリングないしＯリング１８によってシールされる。このシールリングないしＯリング１８は皿ばね１の中央の円錐状区分１ｅによって環状空隙１６に向かって押圧される。
【００４６】
本発明によれば、皿ばね１によってコイル６を有するコイルケーシング７を磁極管４に固定することができ（図２を参照されたい）、この固定は弁ケーシング２に向かってプリロードが掛けられることによって行われる。
【００４７】
さらに本発明によれば、皿ばね１と磁極管４との間の歯列１ａ，１４と、皿ばね１とコイルケーシング７との間の歯列１ｄ，７ｃとによって回動阻止部が形成されているので、スイッチケーシング１０は過酷な条件下また長時間続く振動下でも永続的に所定の位置にとどまる（図１を参照されたい）。
【００４８】
図３は、本発明による電磁石の第２の実施例の断面図を示す。第２の実施例の第１の実施例との実質的な相違点は、皿ばね１およびスナップリング１２が線材クリップ１０１に置換されていることである。
【００４９】
磁極管１０４はその第１の端区分１０４ａにおいて雄ねじを有しており、この雄ねじを介して磁極管１０４は弁ケーシング２の貫通開口部にねじ込まれている。
【００５０】
磁極管１０４の第２の端区分１０４ｂには軸方向溝１２０が形成されている。この軸方向溝１２０は第１の実施例とは異なり、隣接する軸方向突起部によって形成されているのではなく、凹部によって形成されている。歯列を形成するために、コイルケーシング１０７は（図３において）右側の内周面の領域に相応の（図示していない）突起部を有し、それらの突起部が軸方向溝１２０と一緒に、コイルケーシング１０７と磁極管１０４との間の回動阻止部を形成している。
【００５１】
磁極管１０４の第２の端区分１０４ｂはコイル１０７を超えて突出しており、またコイル１０７の第２の端面１０７ｂの高さにおいて環状溝１０５を有している。
【００５２】
この環状溝１０５の領域においては、片側が開かれたばね弾性的な線材クリップ１０１が磁極管１０４の軸８に対して垂直な方向において環状溝１０５を介して嵌め込まれている。線材クリップ１０１は、一方では２つの溝区分１０１ａを介して磁極管１０４の環状溝１０５の側面に支持されており、他方では磁極管１０４の両側においてコイルケーシング１０７に支持されており、またこれによってコイルケーシング１０７は弁ケーシング２に向かって押圧される。線材クリップ１０１の周囲に分布している４つのコイル区分１０１ｂはコイルケーシング１０７の端面１０７ｂに接触している。これによってコイルケーシング１０７、したがってコイル１０６は軸方向において磁極管１０４に固定されている。
【００５３】
線材クリップ１０１を殊に確実に保持するために、線材クリップ１０１はその自由端部を用いて磁極管１０４を取り囲むように把持している。
【００５４】
磁極管１０４およびコイルケーシング１０７にはそれぞれ歯列が設けられており、これらの歯列が相互に噛み合わされ、それによりコイル１０６を有するコイルケーシング１０７と磁極管１０４は相互に回動しないことが保証されている。この実施例では、コイルケーシング１０７における歯列は、このコイルケーシング１０７の第２の端面１０７ｂから出発してある程度の距離にわたり内部に向かって延びている。磁極管１０４における歯列１２０は、環状溝１０５の両側に設けられている。
【００５５】
環状溝１０５の領域においては、線材クリップ１０１の下に、磁極管１０４とコイルケーシング１０７との間の空隙をシールするシールリング１８が配置されている。
【００５６】
シールすべき空隙に対するシールリング１８の均等な押付力を達成するために、（図示していない）リング状のディスクがシールリング１８と線材クリップ１０１との間に挿入されている。このディスクを円錐状もしくは円錐台状に形成することができ、またディスクが第１の実施例の皿ばね１の円錐状区分１ｅの形状に十分に対応する形状を有していてもよい。
【００５７】
図４は、図３による第２の実施例の線材クリップ１０１の平面図を示す。線材クリップ１０１は一貫した線材を折り曲げることによって形成されており、（図示していない）中心軸について鏡面対称である。線材クリップ１０１はコネクション区分１０１ｃを有し、このコネクション区分１０１ｃは取り付けられた状態において、コイルケーシング７の第２の端面１０７ｂにも磁極管１０４の環状溝１０５にも接触しない。
【００５８】
コネクション区分１０１ｃに対して約９０°の角度で２つのコイル区分１０１ｂが配置されており、これらのコイル区分１０１ｂは線材クリップ１０１の嵌め込まれた状態において、コイルケーシング１０７の第２の端面１０７ｂの（図３における）上側の領域にばね弾性的に接触している。
【００５９】
コイル区分１０１ｂは円形に湾曲された形状を有する２つの溝区分１０１ａに繋がっており、それらの溝区分１０１ａのアールは磁極管１０４のアールに対応している。したがって２つの溝区分１０１ａは、線材クリップ１０１が取り付けられた状態においては、相互に対向して環状溝１０５の（図３における）右側の側縁部と部分的に接触している。
【００６０】
２つの溝区分１０１ａにはそれぞれ別のコイル区分１０１ｂが繋がっており、これらの別のコイル区分１０１ｂは例えば上述のコイル区分１０１ｂの位置に合わせられている。したがって、線材クリップ１０１の下側のコイル区分１０１ｂも、線材クリップ１０１が取り付けられた状態においては、コイルケーシング１０７の第２の端面１０７ｂにばね弾性的に接触している。
【００６１】
本発明による電磁石の第２の実施例も、コイル１０６ないしコイルケーシング１０７と磁極管１０４との間の確実で簡単に取り外し可能な接続形態を表す。線材クリップ１０１を（図３および図４において）上に向かって単純に引き出し、シールリング１８を（図３において）右に向かって抜き出すことによって、コイル１０６をコイルケーシング１０７と共に（図３において）右に向かって引き抜くことができる。コイルケーシング１０７の（図示していない）突起部は、磁極管１０４の軸方向溝１２０に沿ってこの軸方向溝１２０から導出される。
【００６２】
図５は、弾性のリングを備えた、本発明による電磁石の第３の実施例の断面図を示す。（図３および図４による）第２の実施例とは異なり、この第３の実施例においては回動阻止部が設けられていない。弁ケーシング２に向かうコイルケーシング２０７の押付力は、磁極管２０４の外周面に配置されている弾性リング２０１によって形成される。弾性リング２０１は（図５において）右に向かってスナップリング１２に支持されている。スナップリング１２は（図５において）右に向かって環状溝２０５の側縁部に支持されている。
【００６３】
したがって本発明によれば、弾性リング２０１がコイル２０６ないしコイルケーシング２０７に（図５において）左に向かって弁ケーシング２に向かうプリロードを掛けており、それと同時に、コイルケーシング２０７と磁極管２０４との間に場合によっては残存する環状空隙をシールする。
【００６４】
図５に示した第３の実施例においては、殊に簡単な構造によって、製造、組み付けおよび取り外しの煩雑性が最小となっている。
【００６５】
図６は、本発明による電磁石の第４の実施例の断面図を示す。この第４の実施例は、図５による第３の実施例の修正形態を表す。実質的な相違点は、第４の実施例では回動阻止部が設けられており、また弾性リング３０１が環状溝３０５に収容されていることである。
【００６６】
第４の実施例の回動阻止部は、原理的には図３による第２の実施例の回動阻止部と同等のものである。図６においては、コイルケーシング３０７の突起部３０９が示されており、この突起部３０９は磁極管３０４の相応の軸方向溝３２０に噛み合わされている。突起部３０９はコイルケーシング３０７の内周面に均等に配置されており、また磁極管３０４の第２の端区分３０４ｂの外周面に均等に配置されている軸方向溝３２０に噛み合わされているので、これにより回動阻止部が形成されている。
【００６７】
（図６による）第４の実施例と（図５による）第３の実施例の第２の相違点は２段階の環状溝３０５が設けられていることであり、この場合、スナップリング１２の溝領域は、弾性リング３０１が収容されている溝領域よりも小さい直径を有する。
【００６８】
製造の不正確性が場合によっては存在するにもかかわらず、（図６において）左に向かって配向されている弾性リング３０１のプリロード力をコイルケーシング３０７に作用させるために、弁の（図示していない）ケーシング壁から環状溝３０５の（図６において）左側の側縁部までの距離は、長手軸方向８に沿ったコイルケーシング３０７の延在部よりも短く設計されている。
【００６９】
図７は、線材クリップ４０１を備えた、本発明による電磁石の第５の実施例の斜視図を示す。線材クリップ４０１は第２の実施例の線材クリップ１０１と原理的に類似するものである。線材クリップ４０１は円形に湾曲された形状を有する２つの溝区分（図４を参照されたい）を有しているのではなく、実質的に直線状の溝区分４０１ａを有している点が異なっている。磁極管４０４には環状溝１０５（図３を参照されたい）の代わりに、２つの溝対４０５，４５０が形成されており、それらの溝対４０５，４５０の溝底部はほぼ直線状であり、また対毎に相互に平行に配置されている。図７においては、各溝対４０５，４５０のうち一方の溝４０５，４５０のみが示されている。
【００７０】
第２の実施例と第５の実施例の実質的な相違点は、第５の実施例の回動阻止部が線材クリップ４０１を介して延在していること、つまり線材クリップ４０１を介して回動が阻止されることである。このために、線材クリップ４０１の４つのコイル区分４０１ｂがコイルケーシング４０７の第２の端面４０７ｂのそれぞれの溝４０７ｃに進入している。それと同時に、線材クリップ４０１の２つの溝区分４０１ａが磁極管４０４の溝対４０５の両方の溝に進入している。したがって、コイルを有するコイルケーシング４０７を磁極管４０４における所定の位置に保持する回動阻止部が形成されている。４つの溝４０７ｃと、溝対４０５の両方の溝と、２つの溝区分４０１ａは相互にほぼ平行に配置されている。
【００７１】
第１の溝対４０５に対して９０°回転された位置にある第２の溝対４５０によって、図示されている状態から９０°回転された位置での、線材クリップ４０１を用いた磁極管４０４におけるコイルケーシング４０７の配置が実現される。
【００７２】
さらには、磁極管４０４の周囲に３つの溝対を設けることもできる。
【００７３】
第１、第２および第４の実施例とは異なり、回動阻止部を周囲に均等に形成されている歯列によって形成する必要がないので、例えば、凹部と対応する突起部（例えばフェザーキー溝を有するフェザーキー）が１つだけ設けられていてもよい。
【００７４】
図８および図９は、皿ばね１を備えた本発明による電磁石の第６の実施例の斜視図を示す。第６の実施例の特徴の多くは第１の実施例と一致している。この第６の実施例では、磁極管４の第２の端区分４ｂ、皿ばね１およびコイルケーシング７について変更が加えられた。図８とは異なり図９においては、皿ばね１および環状溝５がより良く見て取れるようにスナップリング１２が取り外されている。
【００７５】
弁ケーシング２に固定されている磁極管４は、この磁極管４に被せ嵌めされたコイルケーシング７を支持する。コイルケーシング７は弁ケーシング２に接触している。コイルケーシング７に対して張り出している磁極管４の端区分４ｂは丸み付けされた八角部分として形成されている。このことは、端区分４ｂにおいては磁極管４の丸い円柱状の主区分に対して係合面４ｃが凹状加工されていることを意味する。
【００７６】
係合面４ｃ間において軸方向に延在する丸み付けられた縁部４ｄは、周方向に延びる中断された環状溝５の区分５ｂによって周方向において破断されている。環状溝５ａはそれぞれ係合面４ｃの中心において、軸方向に配向されている一種のウェブ４ｅによって中断されている。端区分４ｂにおいて仮想の円柱状の外周面を想定すると、係合面４ｃの凹部深さは環状溝５ａの深さより大きい。
【００７７】
皿ばね１は実質的に円錐状のディスクとして形成されている。皿ばね１は中央開口部１ｆを有し、この中央開口部１ｆは八角形の形状を有する。開口部１ｆの形状および大きさは端区分４ｂに応じて形成されている。すなわち開口部１ｆは、半径方向の最小の遊びでもって端区分４ｂに皿ばね１を被せ嵌めることができるように選定されている。ウェブ４ｅによって、皿ばね１は環状溝５に陥落することなく、この環状溝５を超えて押し込むことができる。これによって組み付けが著しく容易になる。
【００７８】
皿ばね１は舌片１ｇを有し、この舌片１ｇは皿ばね１の外縁部において一方では半径方向に張り出しており、他方では皿ばね１の円錐方向の延長部において軸方向に張り出している。コイルケーシング７には、第２の端区分４ｂと対向している外周縁部において切り欠き部７ｃが凹状加工されており、これらの切り欠き部７ｃはその寸法および配向に基づき、皿ばね１の舌片１ｇを収容する。
【００７９】
組み付け時にはコイルケーシング７が磁極管４に被せ嵌めされる。続いて、皿ばね１がコイルケーシング７に接触して、舌片１ｇが切り欠き部７ｃに噛み合わされるまで、皿ばね１が磁極管４の第２の端区分４ｂに被せ嵌められる。その後は、皿ばね１が環状溝５に噛み合わされるまで被せ嵌められた後に、皿ばね１は必要に応じてスナップリング１２を用いて僅かに押し付けられる。
【００８０】
前述の実施形態と同様に、コイルケーシング７と第１の支持部としての弁ケーシング２との接触部と、第２の支持部としてのスナップリング１２とが、コイルケーシング７と弁ケーシング２の接触を維持する皿ばね１を用いて、磁極管４におけるコイルケーシング７の軸方向の位置を決定する。さらには、コイルケーシング７は形状結合エレメントを介して、皿ばね１を用いて、回動に対して磁極管４に支持されている。形状結合エレメントはコイルケーシング７における切り欠き部７ｃ、皿ばね１における舌片１ｇ、皿ばね１の内側開口部１ｆの多角形の成形部および磁極管４の第２の端区分４ｂの相応の多角形の成形部である。
【００８１】
磁極管とコイルとを有し、このコイルが磁極管を取り囲み、且つ、磁極管の長手方向軸に沿って摺動可能である、電磁石が明らかになった。コイルの第１の端面は、磁極管の第１の端区分と接続されている第１の支持部に接触している。本発明によれば、コイルの第２の端面と、磁極管の第２の端区分と接続されている第２の支持部との間に弾性エレメントが配置されており、この弾性エレメントは第２の支持部に支持されており、またコイルに第１の支持部に向かうプリロードを掛ける。これによって、温度変動に対して、また振動時にも、磁極管にコイルを永続的に一定に緊締された状態で固定することができ、この固定によって比較的長い時間にわたり湿気の影響を受けた後でもコイルを容易に取り外すことができる。
【００８２】
前述の実施例および図面は本発明のより良い理解のために用いられるものに過ぎず、本発明は実施例に制限されるものではない。図面は部分的に大まかで概略的なものにとどまっているが、機能、作用原理、技術的な構成および特徴を明確に示すために、効果ないし作用は部分的に著しく大きく、もしくは誇張して示されている。基本的に、図面および明細書に記載されている、各機能、各原理、各技術的な構成および各特徴は、全ての請求項、明細書および他の図面における各特徴、他の機能、原理、技術的な構成、また、本願明細書に記載されているか、本願明細書の記載から明らかである特徴と自由且つ任意に組み合わせることができるので、考えられるあらゆる組み合わせは本発明の開示範囲に含まれるものと見なすことができる。明細書中の個々のあらゆる実施形態の組み合わせ、すなわち明細書の各セクションおよび請求項に記載されている実施形態の組み合わせ、また、明細書、請求項および図面に記載されている種々の実施例の組み合わせも本発明の開示範囲に含まれる。
【００８３】
また請求項の記載も、開示内容、したがって記載されているあらゆる特徴の考えられる組み合わせを制限ないし限定するものではない。記載したあらゆる特徴は、単独でも、また他のあらゆる特徴との組み合わせでも本発明の開示内容に含まれる。
【符号の説明】
【００８４】
１  皿ばね、  １ａ  脚部、  １ｂ  当接区分、  １ｃ  押圧個所、  １ｄ  突起部、  １ｅ  円錐状区分、  １ｆ  開口部、  １ｇ  舌片、  ２  弁ケーシング、  ４；１０４；２０４；３０４；４０４  磁極管、  ４ｂ；１０４ｂ；３０４ｂ  第２の端区分、  ４ｃ  接合面、  ４ｄ  縁部、  ４ｅ  ウェブ、  ５；１０５；２０５；３０５  環状溝、  ６；１０６；２０６；３０６  コイル、  ７；１０７；２０７；３０７；４０７  コイルケーシング、  ７ａ  縁部、  ７ｂ；１０７ｂ；４０７ｂ  第２の端面、  ７ｃ  切り欠き部、  ８  長手方向軸、  １０  スイッチケーシング、  １２  スナップリング、  １４  軸方向突起部、  １６  環状溝、  １８  シールリング、  ２０；１２０；３２０  軸方向溝、  １０１；４０１線材クリップ、  １０１ａ；４０１ａ  溝区分、  １０１ｂ；４０１ｂ  コイル区分、  １０１ｃ  コネクション区分、  １０４ａ  第１の端区分、  ２０１；３０１  弾性のリング、  ３０９  突起部、  ４０５；４５０  溝対、  ４０７ｃ  溝
【図１】
0005453442.tif 000002
【図２】
0005453442.tif 000003
【図３】
0005453442.tif 000004
【図４】
0005453442.tif 000005
【図５】
0005453442.tif 000006
【図６】
0005453442.tif 000007
【図７】
0005453442.tif 000008
【図８】
0005453442.tif 000009
【図９】
0005453442.tif 000010